(57)【要約】【課題】  本発明は魚釣り方法とその魚釣り装置に関し、身体に係留した魚入れ容器の引き込みによる不快感をなくし、疲労の軽減を図った魚釣り方法とこれに用いる魚釣り装置を提供することを目的とする。【解決手段】  請求項１に係る魚釣り方法は、魚入れ容器を、当該魚入れ容器に取り付く紐で身体に係留して魚釣りをするに当たり、緩衝手段を用いて魚入れ容器を身体に係留し、当該緩衝手段によって魚入れ容器による引き込みを緩和することを特徴とする。  そして、請求項３に係る発明は、魚入れ容器を、当該魚入れ容器に取り付く紐で身体に係留して魚釣りをする魚釣り装置であって、魚入れ容器による引き込みを緩和する緩衝手段を備えたことを特徴とし、請求項４に係る発明は、緩衝手段が魚入れ容器の紐よりも伸びの大きな部材で形成されていることを特徴とする。【選択図】    図２
2005124449.tif 000002
【特許請求の範囲】
【請求項１】
魚入れ容器を、当該魚入れ容器に取り付く紐で身体に係留して魚釣りをするに当たり、緩衝手段を用いて魚入れ容器を身体に係留し、当該緩衝手段によって魚入れ容器による引き込みを緩和することを特徴とする魚釣り方法。
【請求項２】
緩衝手段は、魚入れ容器の紐よりも伸びの大きな部材で形成されていることを特徴とする請求項１に記載の魚釣り方法。
【請求項３】
魚入れ容器を、当該魚入れ容器に取り付く紐で身体に係留して魚釣りをする魚釣り装置であって、魚入れ容器による引き込みを緩和する緩衝手段を備えたことを特徴とする魚釣り装置。
【請求項４】
緩衝手段は、魚入れ容器の紐よりも伸びの大きな部材で形成されていることを特徴とする請求項３に記載の魚釣り装置。
【請求項５】
緩衝手段は、魚入れ容器の紐の一部を構成し、紐の他の部分よりも伸びが大きくこれと一体に形成されていることを特徴とする請求項３に記載の魚釣り装置。
【請求項６】
緩衝手段は、身体に着脱自在なベルト体に装着した紐係止部材に設けられていることを特徴とする請求項３または請求項４に記載の魚釣り装置。
【請求項７】
緩衝手段は、魚入れ容器の紐に取り付けられていることを特徴とする請求項３または請求項４に記載の魚釣り装置。
【請求項８】
緩衝手段は、魚入れ容器の紐係止部材に設けられていることを特徴とする請求項３または請求項４に記載の魚釣り装置。
【発明の詳細な説明】
【技術分野】
【０００１】
本発明は、魚釣り方法とこれに用いる魚釣り装置に関する。
【背景技術】
【０００２】
図１１に示すように、従来、鮎釣りのように流れの中に立ち込んで釣りをする場合、釣れた魚を入れる紐１付きの魚入れ容器３（ビク，引き舟）を釣人５の身体（例えば、腰のベルト７）に係留し、これを下流側へ引き流して魚釣りを行うことがある（特許文献１参照。）。
このように魚入れ容器３を紐１で身体に係留して釣りを行う魚釣り装置９及び魚釣り方法によると、その場で釣れた魚を直ぐに魚入れ容器３に収納することができるため、ビク等を岸に置いた場合に比べ、魚を収納するために釣りを中断する時間を短縮することができる。
【０００３】
そして、一般に魚入れ容器３に取り付く紐１には、ナイロン等の合成樹脂繊維の編み紐が広く使用されている。
【特許文献１】実開昭５５−１１００５４号公報
【発明の開示】
【発明が解決しようとする課題】
【０００４】
しかし、上述したように魚入れ容器を身体に係留すると、魚入れ容器にかかる水圧によって身体が引っ張られるため不快感があり、また、疲れるといった欠点があった。
特に、係留した魚入れ容器が身体を引っ張る力は流れや波によって一定ではなく、時に強く急激な引き込みがあるため、この急激な引き込みが魚の当たりに集中している釣人にとって不快で釣りに集中できなくなる。
【０００５】
また、魚入れ容器の急激な引き込みに対応して足を踏ん張る等、身体に力が入るために疲れ易いのが実情であった。
本発明は斯かる実情に鑑み案出されたもので、身体に係留した魚入れ容器の引き込みによる不快感をなくし、疲労の軽減を図った魚釣り方法とこれに用いる魚釣り装置を提供することを目的とする。
【課題を解決するための手段】
【０００６】
斯かる目的を達成するため、請求項１に係る魚釣り方法は、魚入れ容器を、当該魚入れ容器に取り付く紐で身体に係留して魚釣りをするに当たり、緩衝手段を用いて魚入れ容器を身体に係留し、当該緩衝手段によって魚入れ容器による引き込みを緩和することを特徴とする。
そして、請求項２に係る発明は、請求項１に記載の魚釣り方法に於て、緩衝手段が、魚入れ容器の紐よりも伸びの大きな部材で形成されていることを特徴とする。
【０００７】
一方、請求項３に係る発明は、魚入れ容器を、当該魚入れ容器に取り付く紐で身体に係留して魚釣りをする魚釣り装置であって、魚入れ容器による引き込みを緩和する緩衝手段を備えたことを特徴とする。
そして、請求項４に係る発明は、請求項３に記載の魚釣り装置に於て、緩衝手段が、魚入れ容器の紐よりも伸びの大きな部材で形成されていることを特徴とし、請求項５に係る発明は、請求項３記載の魚釣り装置に於て、緩衝手段は、魚入れ容器の紐の一部を構成し、紐の他の部分よりも伸びが大きくこれと一体に形成されていることを特徴とする。
【０００８】
また、請求項６に係る発明は、請求項３または請求項４に記載の魚釣り装置に於て、緩衝手段が、身体に着脱自在なベルト体に装着した紐係止部材に設けられていることを特徴とし、請求項７に係る発明は、請求項３または請求項４に記載の魚釣り装置に於て、緩衝手段が、魚入れ容器の紐に取り付けられていることを特徴とする。
更に請求項８に係る発明は、請求項３または請求項４に記載の魚釣り装置に於て、緩衝手段が、魚入れ容器の紐係止部材に設けられていることを特徴とする。
【発明の効果】
【０００９】
請求項１及び請求項２に係る魚釣り方法によれば、魚入れ容器による引き込みが緩衝手段によって緩和されるため、魚入れ容器にかかる水圧で身体が引っ張られることによる不快感がなくなり、また、魚入れ容器の急激な引き込みに対応して足を踏ん張る必要もないため、疲れることなく魚釣りを行うことが可能である。
そして、請求項３乃至請求項８に係る魚釣り装置によっても、魚入れ容器による引き込みが緩衝手段によって緩和されるため、身体が引っ張られることによる不快感がなくなり、足を踏ん張る必要がなくなって、疲れることなく魚釣りを行うことができる利点を有する。
【発明を実施するための最良の形態】
【００１０】
以下、本発明の実施形態を図面に基づいて詳細に説明する。
図１は図２に示す請求項３，請求項４及び請求項７の第一実施形態に係る魚釣り装置を用いた請求項１及び請求項２の魚釣り方法の一実施形態を示し、以下に記述するように本実施形態に係る魚釣り装置は、紐係止部材が設けられたベルト体と、紐付きの引き舟と、当該紐に取り付けられた緩衝手段とで構成されている。
【００１１】
即ち、図１に於て、１１は釣人１３の腰に着脱自在に装着された鮎釣り用のベルト体で、当該ベルト体１１には、紐１５付きの魚入れ容器（以下、「引き舟」という）１７を係留する紐係止部材１９を始め、図示しないオモリポーチやマナーケース等が取り付けられており、図２に示すように紐係止部材１９は、端部がベルト体１１に止着された１本の帯状の布や合皮等からなる係止片１９ａと、これに取り付くＤ環１９ｂとで構成されている。
【００１２】
そして、Ｄ環１９ｂに、紐１５の一端側に取り付けたＤ環１９ｂ等に着脱自在の止着具であるナス環２１が連結されて、紐１５の他端側に取り付けた引き舟１７がベルト体１１を介して釣人１３の身体に係留されている。
而して、従来の紐と同様、引き舟１７に取り付く紐１５はナイロン等の合成樹脂繊維の編み紐が使用されて殆ど伸縮しないが、図２に示すように紐１５の一端側に、引き舟１７による引き込みを緩和する緩衝手段２３が取り付けられている。
【００１３】
図２に示すように緩衝手段２３は、合成樹脂で形成された筒状のケーシング２５と、当該ケーシング２５内に収納された金属製や合成樹脂製の引張りコイルばね２７とで構成されており、ケーシング２５は一端側に引張りコイルばね２７の抜止め挿通孔２９が形成され、他端側はケーシング２５の内径寸法のまま開口している。そして、引張りコイルばね２７は、上記抜止め挿通孔２９を挿通してその一端側の係止部３１に前記ナス環２１が係止されると共に、他端側の係止部３３に紐１５の端部が止め紐３５で締結されている。
【００１４】
そして、図２の二点鎖線で示すように引張りコイルばね２７は引き舟１７の引き込みに応じて伸縮するが、ケーシング２５は、引張りコイルばね２７が最大寸法伸長しても係止部３３側が外部に露出しない長尺な寸法に設定されて、引張りコイルばね２７に紐１５が絡まないようになっている。
尚、引張りコイルばね２７は、引き込みによる負荷がなくなると元の状態に復元する。
【００１５】
本実施形態に係る魚釣り装置３７はこのように構成されているから、図１の如く流れの中に立ち込んで釣りをするに当たり、ベルト体１１を腰に装着して、ベルト体１１に設けた紐係止部材１９のＤ環１９ｂに紐１５側のナス環２１を連結すれば、引き舟１７がベルト体１１に係留される。
そして、図１に示すように引き舟１７は引き流されると流水につつまれ、引き舟１７に水圧がかかって釣人１３を引っ張ろうとする力が紐１５に伝わり、時には強く急激な力が紐１５に伝わるが、緩衝手段２３の引張りコイルばね２７が引き舟１７の引き込みに応じ伸縮して、引き舟１７による引き込みを緩和する。
【００１６】
このように、上記魚釣り装置３７を用いた魚釣り方法によれば、引き舟１７による引き込みが緩衝手段２３によって緩和されるので、引き舟１７にかかる水圧で身体が引っ張られることによる不快感がなくなり、また、引き舟１７の急激な引き込みに対応して足を踏ん張る必要もないため、疲れることなく魚釣りを行うことが可能である。
そして、釣人１３が釣れた魚を引き舟１７に入れる時は、紐１５を掴んで引き舟１７を近くに手繰り寄せて行うが、本実施形態は、緩衝手段２３を紐１５の釣人１３側の端部（引き舟１７を取り付けた側とは反対の端部）に設けたため、緩衝手段２３より引き舟１７側の紐１５を掴むことによって、紐１５よりも伸びの大きい緩衝手段２３（引張りコイルばね２７）を作用させずに引き舟１７を容易に手繰り寄せることができる。
【００１７】
尚、緩衝手段２３は、釣人１３が片手を伸ばして容易に掴めるように身体から５０ｃｍ以内に位置するように設けるとよく、このため、紐１５に取り付ける際には釣人１３側の端部から５０ｃｍ以内の位置に取り付けるとよい。
また、紐１５をナス環（止着具）２１を用いてベルト体１１の紐係止部材１９に止着したが、ベルト体１１以外のものに止着して釣人１３の身体に引き舟１７を係留させることもできる。
【００１８】
更にまた、一端の引き舟は、秒速１ｍ／秒において１ｍの紐の端部を保持して流し止めた時の抵抗（釣人に掛かる荷重）は１０Ｎ程度になるため、緩衝手段は斯かる荷重にて紐より伸びが大きいものとし、荷重がなくなると元の状態に復元するものがよい。
図３は請求項３及び請求項７の一実施形態に係る魚釣り装置の要部拡大断面図で、本実施形態に係る魚釣り装置も、紐係止部材１９が設けられたベルト体１１と、紐１５付きの引き舟１７と、当該紐１５に取り付けられた緩衝手段３９とで構成されている。
【００１９】
尚、緩衝手段３９を除くその他の構成は上記実施形態と同様であるので、同一のものには同一符号を付してそれらの説明は省略する。
而して、緩衝手段３９は、合成樹脂で形成された軽量な有底筒状のケーシング４１と、その開口部を閉塞する円盤状の蓋体４３と、ケーシング４１の内周に沿って移動可能に収納されて、紐１５がＵ字状に挿通して止着された円盤状の移動体４５と、当該移動体４５と上記蓋体４３との間に充填された緩衝手段３９としての弾性材４７とからなり、紐１５は移動体４５をＵ字状に挿通して端部が止め紐３５で緊締され、蓋体４３には挿通孔４９が設けられて紐１５が挿通されている。
【００２０】
そして、上記弾性材４７として、天然ゴム等のゴムやウレタン等の合成樹脂で形成されたゴム状弾性を示す高分子材料や、ゴム，合成樹脂のスポンジや発泡体等が使用されており、その中央を紐１５がケーシング４１の軸方向へ挿通している。そして、引き舟１７に水圧がかかって釣人１３を引っ張ろうとする力が紐１５に伝わると、前記移動体４５がその引張力に応じ弾性材４７の弾性力に抗して矢印Ａ方向（引き舟１７方向）へ移動し、これに伴い、弾性材４７が弾性的に収縮し乍ら引き舟１７による引き込みを吸収，緩和するようになっている。
【００２１】
尚、緩衝手段３９の弾性材４７は、引き舟１７の引き込みによる負荷がなくなると、収縮が解除されて元の状態に復元する。
また、弾性材４７はゴムや合成樹脂の他に、金属や合成樹脂のコイルスプリングを用いてもよい。
その他、図中、５１はケーシング４１の先端に止着された係止部で、当該係止部５１にナス環２１が係止されている。
【００２２】
本実施形態の緩衝手段３９はこのように構成されているから、前記実施形態と同様、流れの中に立ち込んで釣りをするに当たり、ベルト体１１を腰に装着して紐係止部材１９のＤ環１９ｂに紐１５側のナス環２１を連結すれば、引き舟１７がベルト体１１に係留される。
そして、引き舟１７が流水につつまれ、引き舟１７に水圧がかかって釣人１３を引っ張ろうとする力が紐１５に伝わると、移動体４５がその引張力に応じ弾性材４７の弾性力に抗して矢印Ａ方向へ移動し、これに伴い、弾性材４７が弾性的に収縮し乍ら引き舟１７による引き込みを吸収，緩和する。
【００２３】
このように、本実施形態に係る魚釣り装置を用いた魚釣り方法によっても、引き舟１７による引き込みが緩衝手段３９によって緩和されるため、引き舟１７にかかる水圧で身体が引っ張られることによる不快感がなくなり、また、引き舟１７の急激な引き込みに対応して足を踏ん張る必要もないため、疲れることなく魚釣りを行うことが可能となる。
そして、紐１５を掴むことで容易に引き舟１７を手繰り寄せることが可能である。
【００２４】
図４は請求項３，請求項４及び請求項７の第二実施形態に係る魚釣り装置の要部拡大断面図を示し、本実施形態に係る魚釣り装置も、紐係止部材１９が設けられたベルト体１１と、紐１５付きの引き舟１７と、当該紐１５に取り付けられた緩衝手段５３とで構成されている。
そして、図示するように本実施形態は、前記緩衝手段３９に代え、弾性材４７と同一材料からなるゴム弾性を有する環状の弾性材５５を緩衝手段５３としたもので、当該弾性材５５に紐１５の一端側が止め紐３５で締結されると共に、止着具のナス環２１が取り付けられている。
【００２５】
尚、その他の構成は上記第一実施形態と同様であるので、同一のものには同一符号を付してそれらの説明は省略する。
而して、本実施形態に係る魚釣り装置を用いた魚釣り方法によれば、実釣時に引き舟１７に水圧がかかって釣人１３を引っ張ろうとする力が紐１５に伝わると、図示するように紐１５より伸びの大きい弾性材５５が伸長し乍ら、引き舟１７による引き込みを吸収，緩和する。
【００２６】
従って、本実施形態によっても、引き舟１７にかかる水圧で身体が引っ張られることによる不快感がなくなり、また、引き舟１７の急激な引き込みに対応して足を踏ん張る必要もないため、疲れることなく魚釣りを行うことが可能となり、更にまた、緩衝手段５３を紐１５４のナス環２１側（釣人１３側）に設けたため、紐１５を掴むことで緩衝手段５３を作用させずに容易に引き舟１７を手繰り寄せることができる。
【００２７】
図５は請求項３，請求項４及び請求項７の第三実施形態に係る魚釣り装置の要部拡大断面図を示し、本実施形態は上記弾性材５５と同一材料からなるゴム弾性を有する紐状の弾性材５７を緩衝手段５９として利用したもので、弾性材５７の両端側を屈曲させて、夫々の端部を溶着または接着剤で接着して設けた環状の係止部６１，６３にナス環２１と紐１５を取り付けた構成となっている。
【００２８】
そして、本実施形態に係る魚釣り装置も、紐係止部材１９が設けられたベルト体１１と、紐１５付きの引き舟１７と、紐１５に取り付き且つ紐１５より伸びの大きい緩衝手段５９とで構成されている。
而して、本実施形態に係る魚釣り装置を用いた魚釣り方法によっても、引き舟１７に水圧がかかって釣人１３を引っ張ろうとする力が紐１５に伝わると、図示するように弾性材５７が伸長し乍ら、引き舟１７による引き込みを吸収，緩和する。
【００２９】
従って、本実施形態によっても、緩衝手段５９によって引き舟１７による引き込みが緩和されるため、引き舟１７にかかる水圧で身体が引っ張られることによる不快感がなくなり、また、引き舟１７の急激な引き込みに対応して足を踏ん張る必要もないため、疲れることなく魚釣りを行うことが可能である。
図６は請求項３，請求項４及び請求項７の第四実施形態に係る魚釣り装置の要部拡大断面図を示し、本実施形態は、止め紐（図示せず）でナス環２１に締結した紐１５のナス環２１側を湾曲させて、その湾曲部６５の基部６５ａ，６５ｂ間に前記弾性材５７と同一材料からなるゴム弾性を有する１本の紐状の弾性材６７を固着して、これを緩衝手段６９としたことを特徴とする。
【００３０】
そして、本実施形態に係る魚釣り装置も、紐係止部材１９が設けられたベルト体１１と、紐１５付きの引き舟１７と、当該紐１５に取り付く緩衝手段６９とで構成されている。
而して、本実施形態によれば、引き舟１７に水圧がかかって釣人１３を引っ張ろうとする力が紐１５に伝わると、紐１５より伸びの大きい弾性材６７が伸長し乍ら引き舟１７による引き込みを吸収，緩和し、これに伴い湾曲部６５も徐々に引っ張られて変形する。そして、弾性材６７が所定量伸長した処で、紐１５が弾性材６７のそれ以上の伸長を規制することとなる。
【００３１】
従って、本実施形態に係る魚釣り装置を用いた魚釣り方法によっても、緩衝手段６９によって引き舟１７による引き込みが緩和されるため、既述した各実施形態と同様、所期の目的を達成することが可能である。
図７は請求項３乃至請求項５の第一実施形態に係る魚釣り装置の要部拡大断面図を示し、本実施形態は、紐の一部に緩衝手段を一体に形成したもので、図中、７１は既述した弾性材５５と同一材料で形成されたゴム弾性を有する紐状の弾性材、７３はナイロン等の合成樹脂繊維の編み紐で弾性材７１より伸びが小さく、弾性材７１と編み紐７３は端部が一体に接合されている。そして、これらの外周を外層７５でコーティングして引き舟１の紐７７が形成されており、本実施形態は、上記弾性材７１をナス環２１側に配置して、これを引き舟１７による引き込みを緩和する緩衝手段７９としたものである。
【００３２】
尚、外層７５は少なくとも編み紐７３より伸びが大きく、好ましくは弾性材７１と同じかこれより伸びが大きい材料を用いる。
そして、弾性材７１側の紐７７の端部を止め紐３５でナス環２１に締結しており、本実施形態に係る魚釣り装置は、紐係止部材１９が設けられたベルト体１１と、緩衝手段７９が一体に形成された紐７７と、この紐７７付きの引き舟１７とで構成されている。
【００３３】
而して、本実施形態によれば、引き舟１７に水圧がかかって釣人１３を引っ張ろうとする力が紐７７に伝わると、弾性材７１とその外周の弾性材７５が伸長し乍ら引き舟１７による引き込みを吸収，緩和する。
従って、本実施形態に係る魚釣り装置を用いた魚釣り方法によっても、緩衝手段７９によって引き舟１７による引き込みが緩和され、而も、緩衝手段７９を紐７７のナス環２１側（釣人１３側）に設けたため、緩衝手段７９より引き舟１７側の紐７７を掴むことで容易に引き舟１７を手繰り寄せることができ、所期の目的を達成することが可能である。
【００３４】
図８は請求項３乃至請求項５の第二実施形態に係る魚釣り装置の要部拡大断面図を示し、図中、８１は引き舟１７に接続された紐で、その端部がナス環２１に止め紐３５で締結されている。
而して、上記紐８１は塩化ビニール等の合成樹脂をベースに可塑剤を加えて形成されているが、本実施形態は、紐８１を製造するに当たり、ナス環側端部８１ａの所定幅（１〜５０ｃｍが好ましい）に加える可塑剤の量を他の部位より多くして、当該ナス環側端部８１ａを伸びの大きい緩衝手段８３として機能させたもので、本実施形態に係る魚釣り装置は、紐係止部材１９が設けられたベルト体１１と、緩衝手段８３が一体に形成された紐８１と、この紐８１に取り付く引き舟１７とで構成されている。
【００３５】
従って、本実施形態によっても、引き舟１７に水圧がかかって釣人１３を引っ張ろうとする力が紐８１に伝わると、主としてナス環側端部８１ａが伸長し乍ら引き舟１７による引き込みを吸収，緩和する。
このように本実施形態に係る魚釣り装置を用いた魚釣り方法によっても、緩衝手段８３によって引き舟１７による引き込みが緩和され、また、本実施形態にあっても、緩衝手段８３を紐８１のナス環２１側（釣人１３側）に設けたため、緩衝手段８３より引き舟１７側の紐８１を掴むことで容易に引き舟１７を手繰り寄せることができ、所期の目的を達成することが可能である。
【００３６】
図９は請求項３，請求項４及び請求項６の一実施形態に係る魚釣り装置の要部拡大図を示し、本実施形態は、既述したベルト体１１に設けた紐係止部材１９の係止片１９ａに代え、紐係止部材１９-1の係止片１９ａ-1を帯状の天然ゴムで形成して、これを紐１５より伸びが大きい緩衝手段８５として機能させたもので、当該係止片１９ａ-1にＤ環１９ｂを取り付けている。
【００３７】
そして、Ｄ環１９ｂに、紐１５側に取り付くナス環２１が連結されて、引き舟１７がベルト体１１に係留されるようになっており、本実施形態に係る魚釣り装置は、緩衝手段８５として機能する紐係止部材１９-1が取り付くベルト体１１と、紐１５が取り付く引き舟１７とで構成されている。
従って、本実施形態によれば、引き舟１７に水圧がかかって釣人１３を引っ張ろうとする力が紐１５に伝わると、図示するように緩衝手段８５としての係止片１９ａ-1が伸長し乍ら引き舟１７による引き込みを吸収，緩和する。
【００３８】
このように本実施形態に係る魚釣り装置を用いた魚釣り方法によっても、緩衝手段８５によって引き舟１７による引き込みが緩和されるため、所期の目的を達成することが可能である。
そして、紐１５を掴むことで、緩衝手段８５を作用させずに容易に引き舟１７を手繰り寄せることが可能である。
【００３９】
図１０は請求項３，請求項４及び請求項８の一実施形態に係る魚釣り装置の要部拡大図を示し、本実施形態は、引き舟１７側の紐係止部材に既述した弾性材５７を用いてこれを紐１５より伸びの大きい緩衝手段８７として機能させたもので、弾性材５７は屈曲させた一端側を溶着または接着剤で接着して環状の係止部８９が設けられており、当該係止部８９に紐１５が取り付けられている。そして、弾性材５７の他端側は、引き舟１７の紐挿通孔９１に挿着されている。
【００４０】
そして、本実施形態に係る魚釣り装置は、紐係止部材１９が設けられたベルト体１１と、紐１５付きの引き舟１７とからなり、引き舟１７の紐係止部材が弾性材５７からなる緩衝手段８７で構成されている。
而して、本実施形態によれば、引き舟１７に水圧がかかると、弾性材５７が伸長し乍ら引き舟１７による引き込みを吸収，緩和することとなる。
【００４１】
従って、本実施形態に係る魚釣り装置を用いた魚釣り方法によっても、緩衝手段８７によって引き舟１７による引き込みが緩和されるため、所期の目的を達成することが可能である。
【図面の簡単な説明】
【００４２】
【図１】請求項３，請求項４及び請求項７の第一実施形態に係る魚釣り装置を用いた請求項１及び請求項２の魚釣り方法の一実施形態の説明図である。
【図２】請求項３，請求項４及び請求項７の第一実施形態に係る魚釣り装置の要部拡大断面図である。
【図３】請求項３及び請求項７の一実施形態に係る魚釣り装置の要部拡大断面図である。
【図４】請求項３，請求項４及び請求項７の第二実施形態に係る魚釣り装置の要部拡大断面図である。
【図５】請求項３，請求項４及び請求項７の第三実施形態に係る魚釣り装置の要部拡大断面図である。
【図６】請求項３，請求項４及び請求項７の第四実施形態に係る魚釣り装置の要部拡大断面図である。
【図７】請求項３乃至請求項５の第一実施形態に係る魚釣り装置の要部拡大断面図である。
【図８】請求項３乃至請求項５の第二実施形態に係る魚釣り装置の要部拡大断面図である。
【図９】請求項３，請求項４及び請求項６の一実施形態に係る魚釣り装置の要部拡大図である。
【図１０】請求項３，請求項４及び請求項８の一実施形態に係る魚釣り装置の要部拡大図である。
【図１１】従来の魚釣り装置を用いた魚釣り方法の説明図である。
【符号の説明】
【００４３】
１１  ベルト体
１３  釣人
１５，７７，８１  紐
１７  魚入れ容器（引き舟）
１９，１９-1  紐係止部材
１９ａ，１９ａ-1  係止片
１９ｂ  Ｄ環
２１  ナス環（止着具）
２３，３９，５３，５９，６９，７９，８３，８５，８７  緩衝手段
２５，４１  ケーシング
２７  引張りコイルばね
２９  抜止め挿通孔
３５  止め紐
３７  魚
４５  移動体
４７，５５，５７，６７，７１  弾性材
７３  編み紐
８１ａ  ナス環側端部
【図１】
2005124449.tif 000003
【図２】
2005124449.tif 000004
【図３】
2005124449.tif 000005
【図４】
2005124449.tif 000006
【図５】
2005124449.tif 000007
【図６】
2005124449.tif 000008
【図７】
2005124449.tif 000009
【図８】
2005124449.tif 000010
【図９】
2005124449.tif 000011
【図１０】
2005124449.tif 000012
【図１１】
2005124449.tif 000013